(57)【要約】【課題】  椅子姿勢にある使用者の脚部を囲んで床上にアーチ形にした本体を載置し、足元用温風ヒーターから吹き出された暖気を本体に囲まれた空間内に滞留させて脚部を暖かくすると共に身体に沿って暖気を上昇、擾乱させて掌や体全体を温かくする足元温風ヒーター用省エネホットアーチを得る。【解決手段】  展開時の形状が下辺に直線縁１を持ちヒンジ溝２等の弯曲可能な構造を備えた横長平面状の帯状板を弯曲させて、直線縁１を下にして床に置いて床面との摩擦力によりＣ字形立体形を形成して暖気の仕切り体として機能する本体３であって、該本体の中央部付近に、暖気を受ける方向に対しての凹面形状を特徴とした暖気制止部５と本体３の左右に延び出た部分である袖状部４の上辺に設けた位置調整グリップ１４と袖状部４下辺に設けた滑り止め１５から構成されることを特徴とする。【選択図】図２
2017190941.tif 000002
【特許請求の範囲】
【請求項１】
展開時の形状が下辺に直線縁（１）を持ちヒンジ溝（２）等の弯曲可能な構造を備えた横長平面状の帯状板を弯曲させて、直線縁（１）を下にして床に置いて床面との摩擦力によりＣ字形立体形を形成して暖気の仕切り体として機能する本体（３）であって、該本体の中央部付近に、暖気を受ける方向に対しての凹面形状を特徴とした暖気制止部（５）を設けた足元温風ヒーター用省エネホットアーチ。
【請求項２】
Ｃ字形立体形にある本体（３）の左右先端部に全体で環状になるように繋いで設ける、温風を受ける方向に対して所定の迎角ａ３を備えたウイング板（６）と該ウイング板を本体（３）に着脱自在に繋ぐ、連結機構（７）を本体（３）とウイング板（６）とに設けた請求項１記載の足元温風ヒーター用省エネホットアーチ。
【請求項３】
本体（３）の構造を、本体中央部に、ヒンジ溝（２）を介して設けた１又は複数の暖気制止部形成板（３ａ）と該暖気制止部形成板の左右外方向にヒンジ溝（２）を介して設けた１又は複数の袖状部中間板（３ｂ）と該袖状部中間板の左右外方向に、ヒンジ溝（２）を介して設けた袖状部端部板（３ｃ）と暖気制止部形成板（３ａ）の上方向に、それぞれヒンジ溝（２）を介して設けた一対の凹面形状生成板（３ｄ）と該凹面形状生成板の内側の隣り合う斜辺同士を着脱自在に係止して下部の暖気制止部形成板（３ａ）と引き合って凹面形状を特徴とした暖気制止部（５）を生成する、該隣り合う斜辺上の部分に設けた係止手段（８）から構成した請求項１又は２記載の足元温風ヒーター用省エネホットアーチ。
【請求項４】
本体（３）を構成する各板の構造を中材にスポンジ材（９）、外被材に布材（１０）を用いた弾性クッション体（１１）とし、中材を挟んで外被材上からのシングル又はダブルの強い縫い合わせにより当該部分で本体を折り曲げ易くするヒンジ溝（２）を形成した請求項１又は２又は３記載の足元温風ヒーター用省エネホットアーチ。
【請求項５】
本体（３）の一部又は全体の素材を不燃素材又は防炎素材又は難燃素材等の火災安全素材（１２）により構成した請求項１又は２又は３又は４記載の足元温風ヒーター用省エネホットアーチ。
【請求項６】
本体（３）の左右に延び出た部分である袖状部（４）の上辺に持ち手である位置調整グリップ（１４）を設けた請求項１又は２又は３又は４又は５記載の足元温風ヒーター用省エネホットアーチ。
【請求項７】
本体（３）の左右に延び出た部分である袖状部（４）の下辺に滑り止め（１５）を設けた、請求項１又は２又は３又は４又は５又は６記載の足元温風ヒーター用省エネホットアーチ。
【請求項８】
連結機構（７）を、本体（３）の左右先端部に所定の角度で設けたクリップ状スリット（１３）とウイング板（６）の左右先端部両面に所定の角度で設けた差し込み溝（１６）によって構成した請求項２又は３又は４又は５又は６又は７記載の足元温風ヒーター用省エネホットアーチ。
【請求項９】
ウイング板（６）を発泡樹脂板等のきわめて軽い素材（１７）で構成した、請求項２又は３又は４又は５又は６又は７又は８記載の足元温風ヒーター用省エネホットアーチ。
【発明の詳細な説明】
【技術分野】
【０００１】  椅子姿勢にある使用者の脚部を囲んで床上にアーチ形にした本体を載置し、足元用温風ヒーターから吹き出された暖気を本体に囲まれた空間内に滞留させて脚部を暖かくすると共に身体に沿って暖気を上昇、擾乱させて掌や体全体を温かくする足元温風ヒーター用省エネホットアーチに関する。
【背景技術】
【０００２】  セラミックファンヒーター技術が既に開発された。
（イ）燃焼等の火気使用部分を持たず発火点に遥かに及ばない加熱部を持つため火災の心配が無く、小型のタイプに於いては机やテーブル下の足元暖房にも利用されている。
（ロ）何ら手を煩わすことなく人の下肢全体を効果的に保温することができる、デスクワーク用下肢保温具が既に開発された。（下記特許文献１参照）
（ハ）テーブル下部空間を遮温シートで囲い、密度の濃い暖気をテーブル下部空間にしっかり保留する事が出来る構造の、テーブルが既に開発された。（下記特許文献２参照）【０００３】  前記の背景技術（ロ）、（ハ）の技術はアイデアの趣旨及び構造に於いて本発明とは異なるものである。
本発明はセラミックファンヒーター等の足元用温風ヒーターの弱点を解決し、省エネ暖房の一形態を形成する趣旨に於いて、該ヒーターと連携して使用するものであり、熱源選択の汎用性を特徴としたスマートな独立構造を有する。
また、前記（ロ）、（ハ）の構造は机、テーブルと椅子に吊り下げられたシートにより下肢部分を囲う密閉構造であるが、本発明は床上の任意の位置に自立させたアーチ形にした本体やウイング板の塊によるオープン構造であり、こたつのように空間を完全に囲んで加温や保温をするものではなく、アーチ形にした本体やウイング板の表面形状による暖気気流の反射的コントロールにより恒常的に暖気気流の密度の濃い空間部分をつくり、そこに足先を交差させ、効率よく暖を得ようとするものである。
【先行技術文献】
【特許文献】
【０００４】
【特許文献１】  特開２００４−１６４５７号公報
【特許文献２】  特開２０１４−１４４０１９号公報
【発明の概要】
【発明が解決しようとする課題】
【０００５】  机やテーブル下で火災の心配が無く安全に使用できる性能を持った小型セラミックファンヒーター等の温風ヒーターによって脚部を温めようとする際、勢いよく吹き出す温風に誘引されて混じって通過する周囲の冷気や強気流による脚部皮膚表面の気化熱の影響もあって効率よく暖が得られない、涼しさを感じてしまう問題があった。また、それは局部的な暖房目的を達成するためのエネルギー消費量の点においても問題であった。
本発明の足元温風ヒーター用省エネホットアーチはこれらの課題を解決するものである。
【課題を解決するための手段】
【０００６】  展開時の形状が下辺に直線縁（１）を持ちヒンジ溝（２）等の弯曲可能な構造を備えた横長平面状の帯状板を弯曲させて、直線縁（１）を下にして床に置いて床面との摩擦力によりＣ字形立体形を形成して暖気の仕切り体として機能する本体（３）であって、該本体の中央部付近に、暖気を受ける方向に対しての凹面形状を特徴とした暖気制止部（５）を設けた足元温風ヒーター用省エネホットアーチ。【０００７】  Ｃ字形立体形にある本体（３）の左右先端部に全体で環状になるように繋いで設ける、温風を受ける方向に対して所定の迎角ａ３を備えたウイング板（６）と該ウイング板を本体（３）に着脱自在に繋ぐ、連結機構（７）を本体（３）とウイング板（６）とに設けた請求項２記載の足元温風ヒーター用省エネホットアーチ。【０００８】  本体（３）の構造を、本体中央部に、ヒンジ溝（２）を介して設けた１又は複数の暖気制止部形成板（３ａ）と該暖気制止部形成板の左右外方向にヒンジ溝（２）を介して設けた１又は複数の袖状部中間板（３ｂ）と該袖状部中間板の左右外方向に、ヒンジ溝（２）を介して設けた袖状部端部板（３ｃ）と暖気制止部形成板（３ａ）の上方向に、それぞれヒンジ溝（２）を介して設けた一対の凹面形状生成板（３ｄ）と該凹面形状生成板の内側の隣り合う斜辺同士を着脱自在に係止して下部の暖気制止部形成板（３ａ）と引き合って凹面形状を特徴とした暖気制止部（５）を生成する、該隣り合う斜辺上の部分に設けた係止手段（８）から構成した請求項３記載の足元温風ヒーター用省エネホットアーチ。【０００９】  本体（３）を構成する各板の構造を中材にスポンジ材（９）、外被材に布材（１０）を用いた弾性クッション体（１１）とし、中材を挟んで外被材上からのシングル又はダブルの強い縫い合わせにより当該部分で本体を折り曲げ易くするヒンジ溝（２）を形成した請求項４記載の足元温風ヒーター用省エネホットアーチ。【００１０】  本体（３）の一部又は全体の素材を不燃素材又は防炎素材又は難燃素材等の火災安全素材（１２）により構成した請求項５記載の足元温風ヒーター用省エネホットアーチ。【００１１】  本体（３）の左右に延び出た部分である袖状部（４）の上辺に持ち手である位置調整グリップ（１４）を設けた請求項６記載の足元温風ヒーター用省エネホットアーチ。【００１２】本体（３）の左右に延び出た部分である袖状部（４）の下辺に滑り止め（１５）を設けた、請求項７記載の足元温風ヒーター用省エネホットアーチ。【００１３】  連結機構（７）を、本体（３）の左右先端部に所定の角度で設けたクリップ状スリット（１３）とウイング板（６）の左右先端部両面に所定の角度で設けた差し込み溝（１６）によって構成した請求項８記載の足元温風ヒーター用省エネホットアーチ。【００１４】  ウイング板（６）を発泡樹脂板等のきわめて軽い素材（１７）で構成した、請求項９記載の足元温風ヒーター用省エネホットアーチ。【００１５】  本発明は以上の９項の構成から成る、足元温風ヒーター用省エネホットアーチである。
【発明の効果】
【００１６】  本発明の足元温風ヒーター用省エネホットアーチによれば以下のような有益な効果が得られる。【００１７】  請求項１に記載の発明によれば、以下のような効果を有する。
（イ）本発明の足元温風ヒーター用省エネホットアーチは、椅子姿勢にある使用者の脚部を囲んで床上にＣ字形の本体（３）を形成し、小型セラミックファンヒーター等の足元用温風ヒーターから吹き出された温風をＣ字の切れ目の空間を通って本体（３）の内側面に衝突させるようにして、本体（３）に囲まれた空間内に暖気を滞留させて脚部を早く確実に暖かくし、また、身体に沿って暖気を上昇、擾乱させて掌や体全体を温かくすることができて便利である。
（ロ）セラミックファンヒーター等の電力パワーを一段階低くして効率よく目的に適った省エネルギー暖房を行うことができて便利である。
（ハ）火気を使用せず穏やかな温風での火災の安全性に優れるセラミックファンヒーター等の足元用温風ヒーターの弱点（〔発明が解決しようとする課題〕で述べた問題）を補って、該温風ヒーターとセットで、優れた足元暖房形態を形成することができる。
（ニ）暖気制止部（５）は空気抵抗を強めて暖気の流れの一部が衝止する形となり、効率よく温風ヒーター側空間に暖気を滞留させ、脚部の暖気接触面の拡大と安定化を行い、暖かさを強めることができる。
（ホ）薄い平面状製品を手でＣ字形立体形に曲げて床上に自立させて使用するシンプルな形状のものであり、状況に応じて自由に形状の調整ができる便利さと踏みつけ等で汚れ難い清潔さがある。
（ヘ）使用時以外に於いては足元の隙間空間に追従変形して邪魔にならない。
（ト）うっとおしくないオープンでシンプルな暖房器具デザインの為、快適に使用できる。
（チ）シンプルな構造の為製造と流通が容易であり本発明を廉価に提供することができる。【００１８】  請求項２に記載の発明によれば、以下のような効果を有する。
（イ）暖気の吹き出し口が高い位置に付いているデザインの足元温風ヒーターを利用する際にウイング板により、高い位置で暖気をキャッチし、ウイング板に沿って下ろし、本体に囲まれた空間に暖気を入り込ませることが出来て便利である。
（ロ）本体とウイング板が環状に繋がり、自立構造がしっかりする効果がある。
（ハ）本体の左右先端が狭まる恰好になる為、左右斜め前方からの冷気の誘引侵入が少なくなり本発明の効果を的確にする。【００１９】  請求項３又は４に記載の発明によれば、請求項１又は２に記載の発明の効果に加え、以下の効果を有する。
（イ）平面状の製品を係止手段（８）により簡単で楽な操作で部分を立体化し、中央部にできる凹面形状により暖気の流れを的確にキャッチしてその部分に暖気を滞留させ、温かさを強めることができて便利である。また、製品の状態に於いて嵩張らなくて便利である。
（ロ）簡単な係止手段（８）の操作で暖気滞留の程度を自由にコントロールできて便利であり、係止の状態では本発明の自立構造をさらに安定化させる効果がある。
（ハ）弾性クッション体（１１）を利用した本体（３）は使用者の不意の踏みつけや椅子移動による挟み込み圧迫等に対して破損、変形することのない形状の復元性を持ち過酷な物理環境にある本発明を自ら守ることができる。
（ニ）弾性クッション体（１１）を利用した本体（３）は椅子等で混み合う空間をぬって使用又は放置できる柔軟性に優れ、快適に使用できる。
（ホ）弾性クッション体（１１）を利用した本体（３）はソフトな感触を持ち、使用者に硬さや冷たさを連想させることなく感覚的な暖を与える。【００２０】  請求項５に記載の発明によれば、請求項１又は２又は３又は４に記載の発明の効果に加え、以下の効果を有する。
（イ）本発明は不燃素材や防炎素材や難燃素材等の火災安全素材を使用する為、足元用温風ヒーター以外での誤使用が行われた際の加熱に対して製品として安心である。【００２１】  請求項６に記載の発明によれば、請求項１又は２又は３又は４又は５に記載の発明の効果に加え、以下の効果を有する。
（イ）椅子姿勢のままかがんで位置調整グリップ（１４）を指で軽く摘まんで本体（３）の位置や角度の調整が楽にできるので便利である。【００２２】  請求項７に記載の発明によれば、請求項１又は２又は３又は４又は５又は６に記載の発明の効果に加え、以下の効果を有する。
（イ）本体のスポンジの弾性力や足の接触で本体（３）の形状が乱れてしまう場合に若干強制的にシリコンゴムと床との摩擦力により設置形状をコントロールできて便利である。【００２３】  請求項８に記載の発明によれば、請求項２又は３又は４又は５又は６又は７に記載の発明の効果に加え、以下の効果を有する。
（イ）本体とウイング板の連結操作が簡単で楽に行える。
（ロ）シンプルな連結機構で製造のローコスト化が図れる。【００２４】  請求項９に記載の発明によれば、請求項２又は３又は４又は５又は６又は７又は８に記載の発明の効果に加え、以下の効果を有する。
（イ）軽くて取扱いが便利である。
【図面の簡単な説明】
【００２５】
【図１】  実施例１に係る本発明を平面状に展開して立てた状態を示す斜視図である。
【図２】  実施例１に係る本発明の使用状態を示す斜視図である。
【図３】  実施例１に係る本発明の使用状態を示す説明図である。
【図４】  実施例１に係る本発明の使用状態を示す説明断面図である。
【図５】  部分意匠として意匠登録出願へ変更の場合の様式で表した正面図である。
【図６】  部分意匠として意匠登録出願へ変更の場合の様式で表した背面図である。
【図７】  部分意匠として意匠登録出願へ変更の場合の様式で表した平面図である。
【図８】  部分意匠として意匠登録出願へ変更の場合の様式で表した底面図である。
【図９】  図８に於けるＣ−Ｃ´部分拡大図である。
【図１０】  部分意匠として意匠登録出願へ変更の場合の様式で表した左側面図である。
【図１１】  図１０に於ける全体の拡大図である。
【図１２】  部分意匠として意匠登録出願へ変更の場合の様式で表した右側面図である。
【図１３】  図１２に於ける全体の拡大図である。
【図１４】  部分意匠として意匠登録出願へ変更の場合の様式で表したＢ−Ｂ断面図である。
【図１５】  図１４に於ける全体の拡大図である。
【図１６】  実施例１に係る本発明のＡ−Ａ説明平断面図である。
【図１７】  実施例２に係る本発明の使用状態を示す斜視図である。
【図１８】  実施例２に係る本発明を平面状に展開した状態の正面図である。
【図１９】  実施例２に係る本発明のＤ−Ｄ視拡大断面図である。
【図２０】  実施例２に係る本発明の、本体とウイング板の連結機構を示す説明斜視図である。
【図２１】  実施例２に係る本発明の使用状態の説明断面図である。
【００２６】  本特許出願を部分意匠として意匠登録出願への出願変更があった場合、図５〜図１５に於いて、実線で表した部分が、部分意匠として登録を受けようとする部分である。断面図を含めて部分意匠として意匠登録を受けようとする部分を特定している。一点鎖線は部分意匠として意匠登録を受けようとする部分とその他の部分との境界のみを示す線である。
物品の形状は実施例１又は実施例２の本体部分に準じたものである。
【発明を実施するための形態】
【００２７】  以下に本発明の最良の実施の形態を述べる。
展開時の形状が下辺に直線縁（１）を持ちヒンジ溝（２）等の弯曲可能な構造を備えた横長平面状の帯状板を弯曲させて、直線縁（１）を下にして床に置いて床面との摩擦力によりＣ字形立体形を形成して暖気の仕切り体として機能する本体（３）であって、該本体の中央部付近に、暖気を受ける方向に対しての凹面形状を特徴とした暖気制止部（５）を設けている。
【００２８】  Ｃ字形立体形にある本体（３）の左右先端部に全体で環状になるように繋いで設ける、温風を受ける方向に対して所定の迎角ａ３を備えたウイング板（６）と該ウイング板を本体（３）に着脱自在に繋ぐ、連結機構（７）を本体（３）とウイング板（６）とに設けている。
【００２９】  本体（３）の構造を、本体中央部に、ヒンジ溝（２）を介して設けた１又は複数の暖気制止部形成板（３ａ）と該暖気制止部形成板の左右外方向にヒンジ溝（２）を介して設けた１又は複数の袖状部中間板（３ｂ）と該袖状部中間板の左右外方向に、ヒンジ溝（２）を介して設けた袖状部端部板（３ｃ）と暖気制止部形成板（３ａ）の上方向に、それぞれヒンジ溝（２）を介して設けた一対の凹面形状生成板（３ｄ）と該凹面形状生成板の内側の隣り合う斜辺同士を着脱自在に係止して下部の暖気制止部形成板（３ａ）と引き合って凹面形状を特徴とした暖気制止部（５）を生成する、該隣り合う斜辺上の部分に設けた係止手段（８）から構成している。
【００３０】  本体（３）を構成する各板の構造を中材にスポンジ材（９）、外被材に布材（１０）を用いた弾性クッション体（１１）とし、中材を挟んで外被材上からのシングル又はダブルの強い縫い合わせにより当該部分で本体を折り曲げ易くするヒンジ溝（２）を形成している。
【００３１】  本体（３）の一部又は全体の素材を不燃素材又は防炎素材又は難燃素材等の火災安全素材（１２）により構成している。
【００３２】  本体（３）の左右に延び出た部分である袖状部（４）の上辺に持ち手である位置調整グリップ（１４）を設けている。
【００３３】本体（３）の左右に延び出た部分である袖状部（４）の下辺に滑り止め（１５）を設けている。
【００３４】  連結機構（７）を、本体（３）の左右先端部に所定の角度で設けたクリップ状スリット（１３）とウイング板（６）の左右先端部両面に所定の角度で設けた差し込み溝（１６）によって構成している。
【００３５】  ウイング板（６）を発泡樹脂板等のきわめて軽い素材（１７）で構成している。
【００３６】  通常、足元用温風ヒーターからの温風の一部が人体脚部や椅子脚部に衝突してその位置で擾乱し、少量の暖気が細かく擾乱しながら上昇していくが、本発明は図４に示すように、所定の空間位置にＣ字形の本体（３）やウイング板（６）を設けることにより脚部位置に暖気を囲い込んで滞留させて先ず脚部を温め、次に体温の影響もあって空気の上昇が起こり易い人体周りを誘導軸として、テーブル面や椅子面の空間形状の影響も加えて大量の暖気を上昇、擾乱させて体全体でも暖が感じられるように作用するものである。
実施例１はセラミックファンヒーター等の温風ヒーターの暖気の吹き出し口が床面近くにあるデザインの温風ヒーターに適し、実施例２は該吹き出し口が高い位置にあるデザインの温風ヒーターに適する。
【００３７】  以上の実施形態により前記の、請求項１〜９について述べた効果が得られる。
【実施例】
【実施例１】
【００３８】  図１〜図１６は本発明の実施例１に係る足元温風ヒーター用省エネホットアーチを示す図面であり、図１は平面状に展開して立てた状態を示す斜視図、図２は使用状態を示す斜視図、図３は使用状態を示す説明図、図４は使用状態を示す説明断面図、図５は部分意匠として意匠登録出願へ変更の場合の様式で表した正面図、図６は部分意匠として意匠登録出願へ変更の場合の様式で表した背面図、図７は部分意匠として意匠登録出願へ変更の場合の様式で表した平面図、図８は部分意匠として意匠登録出願へ変更の場合の様式で表した底面図、図９は図８に於けるＣ−Ｃ´部分拡大図、図１０は部分意匠として意匠登録出願へ変更の場合の様式で表した左側面図、図１１は図１０に於ける全体の拡大図、図１２は部分意匠として意匠登録出願へ変更の場合の様式で表した右側面図、図１３は図１２に於ける全体の拡大図、図１４は部分意匠として意匠登録出願へ変更の場合の様式で表したＢ−Ｂ断面図、図１５は図１４に於ける全体の拡大図、図１６はＡ−Ａ説明平断面図である。
展開時の形状が下辺に直線縁（１）を持ちヒンジ溝（２）等の弯曲可能な構造を備えた横長平面状の帯状板を弯曲させて、直線縁（１）を下にして床に置いて床面との摩擦力によりＣ字形立体形を形成して暖気の仕切り体として機能する本体（３）であって、該本体の中央部付近に、暖気を受ける方向に対しての凹面形状を特徴とした暖気制止部（５）を設けている。
本体（３）の構造を、本体中央部に、ヒンジ溝（２）を介して設けた１又は複数の暖気制止部形成板（３ａ）と該暖気制止部形成板の左右外方向にヒンジ溝（２）を介して設けた１又は複数の袖状部中間板（３ｂ）と該袖状部中間板の左右外方向に、ヒンジ溝（２）を介して設けた袖状部端部板（３ｃ）と暖気制止部形成板（３ａ）の上方向に、それぞれヒンジ溝（２）を介して設けた一対の凹面形状生成板（３ｄ）と該凹面形状生成板の内側の隣り合う斜辺同士を着脱自在に係止して下部の暖気制止部形成板（３ａ）と引き合って凹面形状を特徴とした暖気制止部（５）を生成する、該隣り合う斜辺上の部分に設けた係止手段（８）から構成している。実施例１では係止手段（８）に、ホックを用いている。
凹面形状生成板（３ｄ）は図１に示すようにアウトライン形状がほぼＭ字形であり、その内側の隣り合う各斜辺と暖気制止部形成板（３ａ）との角度（ａ１及びａ２）が凹面形状を生成させるのに適する所定の角度である。該角度は７０°前後を理想とする。
本体（３）を構成する各板の構造を中材にスポンジ材（９）、外被材に布材（１０）を用いた弾性クッション体（１１）とし、中材を挟んで外被材上からのシングル又はダブルの強い縫い合わせにより当該部分で本体を折り曲げ易くするヒンジ溝（２）を形成している。
本体（３）は、スポンジ材（９）を布材（１０）で内包した、暖気制止部形成板（３ａ）、袖状部中間板（３ｂ）袖状部端部板（３ｃ）、凹面形状生成板（３ｄ）の各板をヒンジ溝（２）で介してそれぞれを連結させて設けているが制作上は中材を挟んで外被材上からのシングル又はダブルの強い縫い合わせによりヒンジ溝を形成しながら各板部分に分割している。
本体（３）の一部又は全体の素材を不燃素材又は防炎素材又は難燃素材等の火災安全素材（１２）により構成している。
石油ファンヒーター等の足元用温風ヒーター以外での誤使用が行われた際の火災の安全性を備える趣旨からである。本実施例１では、クッション体の外被材を防炎布素材、中材を難燃性ウレタンスポンジで構成している。
本体（３）の左右に延び出た部分である袖状部（４）の上辺に持ち手である位置調整グリップ（１４）を設けている。
かがんで、指で摘まんで操作しやすい位置に設けている。
本体（３）の左右に延び出た部分である袖状部（４）の下辺に滑り止め（１５）を設けている。
矩形のシリコンゴムシートを左右一対でグリップ下部の本体の直線縁（１）から僅かに先端を突出させて縫い付けて設けている。本体のスポンジの弾性力や足が触れて形状が乱れてしまった場合に若干強制的にシリコンゴムと床との摩擦力により設置形状をコントロールできて便利である。
（実施例１の本発明の使い方）
＜手順１＞  図２〜図４に示すように、小型セラミックファンヒーター等の足元用温風ヒーターを暖気の吹き出し口を脚部位置に向けて運転を開始する。
＜手順２＞  図２〜図４に示すように、本発明本体の直線縁を下にして立てて全体をＣ字形に湾曲させて本体の開口方向を温風ヒーターの吹き出し口方向に向けて床上の脚部を囲んだ位置に置く。その時、本発明本体中央部を、暖気吹き出し方向のセンターライン上にくるようにして置く。
＜手順３＞  図２に示すように、本発明本体中央部の一対の凹面形状生成板（３ｄ）頂部の係止手段（８）である、ホックを留めて凹面形状を生成させる。
＜手順４＞  椅子に座りながら位置調整グリップ（１４）を摘み本体の位置、使用形状を状況に応じて調整する。使用に慣れたら足先を使って適当に調整することも可能である。
本体（３）の設置形状はＣ字のように両先端を内側に若干丸め込むように置いた方が引き込みによる周囲の冷気の侵入を少なくして本発明の効果を高めることができる。
＜手順５＞  温まり過ぎたらホックを外して暖気滞留の程度を下げる。
【実施例２】
【００３９】  図１７〜図２１は本発明の実施例２に係る足元温風ヒーター用省エネホットアーチを示す図面であり、図１７は使用状態を示す斜視図、図１８は平面状に展開した状態の正面図、図１９はＤ−Ｄ視拡大断面図、図２０は本体とウイング板の連結機構を示す説明斜視図、図２１は使用状態の説明断面図である。
実施例２の発明は実施例１の発明とほぼ同じであるが、次の点で違いがある。
（イ）Ｃ字形立体形にある本体（３）の左右先端部に全体で環状になるように繋いで設ける、温風を受ける方向に対して所定の迎角ａ３を備えたウイング板（６）と該ウイング板を本体に着脱自在に繋ぐ、連結機構（７）を本体とウイング板とに設けている。
（ロ）連結機構（７）を、本体（３）の左右先端部に所定の角度で設けたクリップ状スリット（１３）とウイング板（６）の左右先端部両面に所定の角度で設けた差し込み溝（１６）によって構成している。
（ハ）ウイング板（６）を発泡樹脂板等のきわめて軽い素材（１７）で構成している。
（実施例２の本発明の使い方）
吹き出し口が高い位置に設けられている足元用温風ヒーターの場合に実施例２を使う。使い方は実施例１と殆ど同じであるが、本体の左右先端部の上向きの差し込み溝にウイング板の左右端部のクリップ状スリットを滑り込むように滑り込ませ軽く連結して使用する。
【符号の説明】
【００４０】  １  直線縁
２  ヒンジ溝
３  本体
３ａ  暖気制止部形成板
３ｂ  袖状部中間板
３ｃ  袖状部端部板
３ｄ  凹面形状生成板
４  袖状部
５  暖気制止部
６  ウイング板
７  連結機構
８  係止手段
９  スポンジ材
１０  布材
１１  弾性クッション体
１２  火災安全素材
１３  クリップ状スリット
１４  位置調整グリップ
１５  滑り止め
１６  差し込み溝
１７  きわめて軽い素材
【図１】
2017190941.tif 000003
【図２】
2017190941.tif 000004
【図３】
2017190941.tif 000005
【図４】
2017190941.tif 000006
【図５】
2017190941.tif 000007
【図６】
2017190941.tif 000008
【図７】
2017190941.tif 000009
【図８】
2017190941.tif 000010
【図９】
2017190941.tif 000011
【図１０】
2017190941.tif 000012
【図１１】
2017190941.tif 000013
【図１２】
2017190941.tif 000014
【図１３】
2017190941.tif 000015
【図１４】
2017190941.tif 000016
【図１５】
2017190941.tif 000017
【図１６】
2017190941.tif 000018
【図１７】
2017190941.tif 000019
【図１８】
2017190941.tif 000020
【図１９】
2017190941.tif 000021
【図２０】
2017190941.tif 000022
【図２１】
2017190941.tif 000023